(57)【要約】【課題】特別に専用のボタンを用意するのではなく、またメニュー画面を開かずとも既存のキーボタンの長押下によりキーロック及び解除をすることができ、特に長押下するボタンと長押下を検出する時間とをユーザが任意に設定することができる携帯端末装置を提供する。【解決手段】本発明は、キーロック又は解除機能を備える携帯端末装置において、押下することが可能な少なくとも１の操作キーを有する操作手段と、前記操作キーの押下を検出する検出手段と、前記操作キーが所定の押下時間だけ押下されたことを判定してキーロック又は解除処理を実行する制御手段と、を備え、前記操作キーを、ユーザが予め任意に設定する。【選択図】図１
2009239477.tif 000002
【特許請求の範囲】
【請求項１】
キーロック又は解除機能を備える携帯端末装置において、
押下することが可能な少なくとも１の操作キーを有する操作手段と、
前記操作キーの押下を検出する検出手段と、
前記操作キーが所定の押下時間だけ押下されたことを判定してキーロック又は解除処理を実行する制御手段と、
を備え、
前記操作キーを、ユーザが予め任意に設定することができることを特徴とする携帯端末装置。
【請求項２】
請求項１に記載の携帯端末装置において、
前記所定の押下時間を前記ユーザが予め任意に設定することができることを特徴とする携帯端末装置。
【請求項３】
キーロック又は解除機能を備える携帯端末装置において、
押下することが可能な少なくとも１の操作キーを有する操作手段と、
前記操作キーの押下を検出する検出手段と、
前記操作キーが所定の時間内で所定の回数だけ連続して押下されたことを判定してキーロック又は解除処理を実行する制御手段と、
を備え、
前記操作キーを、ユーザが予め任意に設定することができることを特徴とする携帯端末装置。
【請求項４】
請求項３に記載の携帯端末装置において、
前記所定の時間と前記所定の回数とを前記ユーザが予め任意に設定することができることを特徴とする携帯端末装置。
【発明の詳細な説明】
【技術分野】
【０００１】
本発明は、簡単な操作でキーロック及び解除ができる携帯端末装置に関する。
【背景技術】
【０００２】
携帯電話端末をキーロックするのに、わざわざメニュー画面を開いて設定しなければならず、携帯電話端末の使用が終わった後にすぐにキーロックしてポケット等にしまう場合やポケット等から取り出してロック解除するのに、手間がかかりすぎるというデメリットがあった。
【０００３】
また、携帯電話端末のキーボタンの長押下については既に使われているが、メーカー側が予め指定したキーボタンを長押下することになっていた。
【０００４】
更に、長押下の時間に関しては、長く押下していた場合の反応を好む人もいれば、逆に短い時間でも押下し続ければ反応してほしいと望む人もいる等、長押下の反応については個人差があるが、長押下の検出時間の設定はユーザ側が任意に設定できなかった。
【０００５】
また、携帯電話端末のキーロックをする専用ボタンを増やすことは、携帯電話端末の小型化への開発にとってマイナスであるため、ボタン数を増やさずに簡単に実現することが望まれていた。
【０００６】
例えば、特許文献１には、携帯電話の各種機能を実行するためのボタンを既存のキーボタンの中から選んで登録し、登録したキーボタンを長押下することで実行することが開示されている。
【０００７】
また、特許文献２には、キーロックするのに従来からある既存のキーボタンを使うのではなく、サイドに専用のキーロックボタンを設けている構成が開示されている。
【特許文献１】特開２００３‐１７４４９７号公報
【特許文献２】特開２００６‐０５００３３号公報
【発明の開示】
【発明が解決しようとする課題】
【０００８】
しかしながら、上記特許文献１では、登録したキーボタンを長押下と判断する押下時間まではユーザ側で設定することができないという問題点があった。また上記特許文献２では、長押下の時間設定をユーザが任意にすることができないという問題点があった。
【０００９】
そこで、本発明は、上記各問題点に鑑みて為されたもので、その目的の一例は、特別に専用のボタンを用意するのではなく、またメニュー画面を開かずとも既存のキーボタンの長押下によりキーロック及び解除をすることができ、特に長押下するボタンと長押下を検出する時間とをユーザが任意に設定することができる携帯端末装置を提供することである。
【課題を解決するための手段】
【００１０】
上記の課題を解決するために、請求項１に記載の発明は、キーロック又は解除機能を備える携帯端末装置において、押下することが可能な少なくとも１の操作キーを有する操作手段と、前記操作キーの押下を検出する検出手段と、前記操作キーが所定の押下時間だけ押下されたことを判定してキーロック又は解除処理を実行する制御手段と、を備え、前記操作キーを、ユーザが予め任意に設定することができることを特徴とする。
【００１１】
上記の課題を解決するために、請求項２に記載の発明は、請求項１に記載の携帯端末装置において、前記所定の押下時間を前記ユーザが予め任意に設定することができることを特徴とする。
【００１２】
上記の課題を解決するために、請求項３に記載の発明は、キーロック又は解除機能を備える携帯端末装置において、押下することが可能な少なくとも１の操作キーを有する操作手段と、前記操作キーの押下を検出する検出手段と、前記操作キーが所定の時間内で所定の回数だけ連続して押下されたことを判定してキーロック又は解除処理を実行する制御手段と、を備え、前記操作キーを、ユーザが予め任意に設定することができることを特徴とする。
【００１３】
上記の課題を解決するために、請求項４に記載の発明は、請求項３に記載の携帯端末装置において、前記所定の時間と前記所定の回数とを前記ユーザが予め任意に設定することができることを特徴とする。
【発明の効果】
【００１４】
以上のように、本発明によれば、キーロックをすぐにかけることができ、またわざわざメニュー画面を開く手間がなくロック解除することができる。
【００１５】
また、本発明によれば、長押下するボタンを任意に設定することができ、押下を検出する時間も任意に設定することができるので、操作性を向上することができる。
【００１６】
また、本発明によれば、長押下する専用のボタンを追加するのではなく、既存のボタンにより実現できるので、携帯端末装置の小型化にも有利であり、ハードウェアではなくソフトウェアで実現できるので開発費も節約することができる。
【発明を実施するための最良の形態】
【００１７】
次に、本発明に好適な実施の形態について、図面に基づいて説明する。
【００１８】
なお、以下に説明する実施の形態は、携帯電話端末に対して本発明を適用した場合の実施形態である。
【００１９】
先ず、本発明に係る実施形態の携帯電話端末の構成及び機能について、図１を参照して説明する。
【００２０】
なお、図１は、本発明に係る実施形態の携帯電話端末の概要構成を示す図である。
【００２１】
図１に示すように、本実施形態に係る携帯電話端末７は、キー入力部４を有する下側ユニットと、表示部６を有する上側ユニットとからなり、当該下側ユニット及び当該上側ユニットを可動接合部材（ヒンジ）により開閉自在に結合して構成されている。当該下側ユニットと当該上側ユニットとは、ヒンジを介して機構的に結合されていて、当該上側ユニットが、ヒンジ部を中心にして下側ユニットに対して開閉自在な構造となっている。なお、下側ユニットと上側ユニットとは、適宜の接続手段により電気的にも接続されている。
【００２２】
携帯電話端末７は、基地局との電波送受信により移動体通信網に接続して、他の携帯電話機やネットワークに接続されたサーバ等との通信を制御する無線通信部（不図示）と、例えば、マイクロホン、Ｄ／Ａ変換器等を有し、ユーザの発話音声等をマイクロホンから入力すると当該音声に対応した音声データを生成して無線通信部に出力する音声入力部（不図示）と、例えば、スピーカ、増幅回路等を有し、無線通信部から供給された音声データに対応する音声を生成してスピーカにより拡声する音声出力部（不図示）と、を備え、他の携帯電話機との通話やサーバ等とのデータ通信が可能となっている。かかる通信方式には、例えば、ＰＤＣ（Personal Digital Cellular）方式や、ＩＭＴ（International Mobile Telecommunication）方式、ＰＨＳ（Personal Handyphone System）方式等が採用されている。
【００２３】
また、携帯電話端末７は、文字や画像等の情報を表示する表示部６と、情報を表示部６に表示させる表示制御部５と、ユーザからの操作指示するために用いられるキーボタン４と、キーボタン４から入力を受け付け、その指示内容を指示信号としてＣＰＵ１に出力するキー入力制御部３と、各種プログラム（例えば、オペレーティングシステム、Ｗｅｂブラウザプログラム等）及びデータ等を記憶するメモリ２（記憶手段の一例）と、を備えている。
【００２４】
更に、携帯電話端末７は、ＣＰＵ１を備え、ＣＰＵ１と各部とはシステムバスを介して相互に接続されており、ＣＰＵ１が、メモリ２に記憶された各種プログラムを読み出し実行することにより、携帯電話端末７全体を制御する。なお、各種プログラム等は、例えば、サーバ等からダウンロードされるようにしても良いし、メモリカード等の記録媒体から読み込まれるようにしても良い。
【００２５】
携帯電話端末７のキーボタン４は、従来からある既存のキーボタンだけの構成で実現でき、キーロック及び解除を行うために、既存のキーボタン４以外に新たにキーボタンを追加する必要はない。
【００２６】
ＣＰＵ１は、予め決めたキーロック及び解除に使うキーボタンの登録と長押下と判定する押下時間の設定データをメモリ２に記録させる。なお、メモリ２は、電源を切ってもデータが消えないメモリ、つまり不揮発のメモリとする。
【００２７】
そして、ＣＰＵ１は、キー入力制御部３を介して登録されたキーボタンが入力されたことを検出すると、ＣＰＵ１の内部タイマにより押下時間を計測し、予め設定登録されていた時間以上キーボタンが押下されているかを判断する。
【００２８】
次に、本発明の実施形態に係る携帯電話端末の動作例について、図２及び３を参照して説明する。
【００２９】
図２及び３は、本発明の実施形態に係る携帯電話端末の動作例を示すフローチャートであり、具体的には、図２は、本発明の実施形態に係る携帯電話端末７のキーロック及び解除を行うための長押下するキーボタンの指定及び長押下と判定する押下時間の設定登録までの動作を示すフローチャートであり、図３は、本発明の実施形態に係る携帯電話端末７のキーロック及び解除を実施するか否かを判断する動作を示すフローチャートである。
【００３０】
図２において、携帯電話端末７を購入して初めて使うときに、携帯電話端末７のキーロック及び解除に関わる機能動作の初期設定を開始する（ステップＳ１１）。
【００３１】
次に携帯電話端末７のメニュー画面からキーロック及び解除するときに使うキーボタンを、図１における既存のキーボタン４の中から選んで登録する（ステップＳ１２）。
【００３２】
次に、どのくらいの時間を長押下と判断するかを、ユーザの好みにより任意に時間設定をする（ステップＳ１３）。
【００３３】
例えば、キーボタンの＃のボタンを０．５秒以上長く押下したときにキーロックをかけたい場合、上記ステップＳ１２にて＃キーを登録し、上記ステップＳ１３にて０．５秒という時間を登録する。
【００３４】
なお、上記ステップＳ１２及び上記ステップＳ１３において登録された各データは、ＣＰＵ１にてメモリ２に記録保存され、設定を更新するまで、携帯電話端末７を再度電源投入し直しても、当該設定は消滅しないようにしておく。
【００３５】
図３において、ＣＰＵ１は、予め登録されているキーボタンが押下されたことを検出する（ステップＳ２１）と、押下されている時間が予め設定登録された時間より長いか否かを、ＣＰＵ１の内部タイマによる時間計測を使って判断する（ステップＳ２２）。
【００３６】
次いでＣＰＵ１は、押下されている時間が予め設定登録された時間より長いと判定した場合（ステップＳ２２：Ｙｅｓ）は、携帯電話端末７がキーロックの状態でないときは、ＣＰＵ１はキーロックをかける要求が発生したと判断し、また、携帯電話端末７がキーロック状態であったときには、ＣＰＵ１は、キーロックを解除する要求が発生したと判断をする（ステップＳ２３）。
【００３７】
一方、ＣＰＵ１は、押下されている時間が予め設定登録された時間より短いと判定した場合（ステップＳ２２：Ｎｏ）には、ＣＰＵ１は、従来通りのキーボタンが押されたときの入力と判断する（ステップＳ２４）。
【００３８】
そして、ＣＰＵ１は、夫々の処理を実行する（ステップＳ２５）。
【００３９】
以上説明したように、本実施形態によれば、キーロックをすぐにかけることができ、またわざわざメニュー画面を開く手間がなくロック解除することができる。
【００４０】
また、本実施形態によれば、長押下するボタンを任意に設定することができ、押下を検出する時間も任意に設定することができるので、携帯電話端末７の操作性を向上することができる。
【００４１】
また、本実施形態によれば、長押下する専用のボタンを追加するのではなく、既存のボタンにより実現できるので、携帯電話端末７の小型化にも有利であり、ハードウェアではなくソフトウェアで実現できるので開発費も節約することができる。
【００４２】
なお、本発明は、上記実施形態に限定されるものではなく、その要旨を逸脱しない範囲において変更することが可能である。例えば、本発明の上記実施形態の他の実施形態として、長押下の代わりに、予め設定しておいた時間内に登録しておいたボタンを連続して数回押したことを検出してキーロック及びロック解除する方法も考えられる。
【００４３】
また、本発明では、キーロックについて述べたが、その他の機能の起動に関しても、同様な操作設定することも考えられる。
【図面の簡単な説明】
【００４４】
【図１】本実施形態に係る携帯電話端末の概略構成を示す図である。
【図２】本実施形態に係る携帯電話端末のキーロック及び解除を行うための長押下するキーボタンの登録及び長押下と判定する押下時間の設定登録までの動作例を示すフローチャートである。
【図３】本実施形態に係る携帯電話端末のキーロック及び解除を実施するか否かを判断する動作例を示すフローチャートである。
【符号の説明】
【００４５】
１  ＣＰＵ（検出手段の一例、制御手段の一例）
２  メモリ
３  キー入力制御部
４  キーボタン（操作手段の一例）
５  表示制御部
６  表示部
７  携帯電話端末（携帯端末装置の一例）
【図１】
2009239477.tif 000003
【図２】
2009239477.tif 000004
【図３】
2009239477.tif 000005